(57)【特許請求の範囲】
【請求項１】
ディスペンサー洗浄用容器の口部に取り付けられてディスペンスヘッドを装着するアダプター本体と、液流通路と圧送ガス流通路を有する流体案内部材とを具備し、
上記アダプター本体は、第１のシール部材を介してディスペンサー洗浄用容器の口部に当接する内向きフランジ部を有する略円筒状に形成されると共に、上端開口の内周縁に、ディスペンスヘッドの締結用係合突起を具備し、
上記流体案内部材は、上記液流通路を構成する筒状基部と、この筒状基部の上端に形成される外向きフランジ部とを具備し、外向きフランジ部は、上記アダプター本体の内周径より小径であって、上記圧送ガス流通路を有し、かつ上記内向きフランジ部に対して着脱可能に形成されると共に、この外向きフランジ部の外周下面に、上記内向きフランジ部の内周縁部に密着する第２のシール部材を装着してなることを特徴とするディスペンサー洗浄用アダプター。
【請求項２】
請求項１記載のディスペンサー洗浄用アダプターにおいて、
上記アダプター本体の内向きフランジ部の外周縁部に、上方に向かって拡径するテーパ面を形成し、
上記流体案内部材の外向きフランジ部の外周下面及び外周側面に、下方に向かって縮径するテーパ面を形成すると共に、このテーパ面部に周溝を形成し、かつ、この周溝に第２のシール部材を嵌合装着してなることを特徴とするディスペンサー洗浄用アダプター。
【請求項３】
請求項２記載のディスペンサー洗浄用アダプターにおいて、
上記流体案内部材の外向きフランジ部の下面の対向する両側部に、第２のシール部材の抜け止め用突片を突設してなることを特徴とするディスペンサー洗浄用アダプター。
【発明の詳細な説明】
【０００１】
【発明の属する技術分野】
この発明は、ディスペンサー洗浄用アダプターに関するもので、更に詳細には、例えば、生ビールディスペンサーの配管経路の洗浄時に用いるディスペンサー洗浄用アダプターに関するものである。
【０００２】
【従来の技術】
一般に、生ビールディスペンサーの配管経路を洗浄する場合、ディスペンスヘッドをビール樽から取外し、洗浄液（水）を収容した洗浄用容器のアダプターに装着し、その後洗浄用容器内に炭酸ガスを注入して、洗浄液をディスペンサーの配管経路に流して洗浄している。
【０００３】
この種のディスペンサー洗浄用アダプターとしては、例えば特願平１１−１５６３１８号公報に開示されているものがある。このディスペンサー洗浄用アダプターは、ディスペンサー洗浄用容器の口部に取り付けられる連結部と、締結手段を介してディスペンスヘッドを着脱可能に装着する装着部と、この装着部の底部中央に設けられる液流通路と、この液流通路の外周近傍に設けられる圧送ガス流通路とを一体形成した構造である。このように構成されるディスペンサー洗浄用アダプターを用いてディスペンサーを定期的に洗浄することができ、ディスペンサーの衛生面の管理及びビールの品質の維持を図ることができる。
【０００４】
【発明が解決しようとする課題】
しかしながら、上記従来のディスペンサー洗浄用アダプターにおいては、液流通路及び圧送ガス流通路は洗浄用容器の口部に比べてかなり小さく形成されているため、洗浄用容器の内部の確認（点検）がしづらく、洗浄用容器内の洗浄液の量から洗浄状態を確認することが難しいという問題があった。また、液流通路には洗浄用容器下部付近まで延びるサイホンチューブが取り付けられるため、ディスペンスヘッドを外した後に洗浄用容器内に残った洗浄液を排出するとき、洗浄用容器を逆さにしても洗浄液は圧送ガス流通路からしか排出できないので、洗浄液の排出に多くの時間を要していた。更に、炭酸ガスが漏れないようにアダプターは洗浄用容器に一定のトルクで締付け固定されているため、ディスペンスヘッドは容易に外せなく、外せたとしても一定トルクで締付け直さなければならないという問題があった。
【０００５】
この発明は上記事情に鑑みなされたもので、洗浄用容器内の確認（点検）を容易にすると共に、洗浄を容易にし、かつ、洗浄用容器内に残った洗浄液の排出を容易に行えるようにするディスペンサー洗浄用アダプターを提供することを目的とする。
【０００６】
【課題を解決するための手段】
上記目的を達成するために、請求項１記載の発明は、ディスペンサー洗浄用容器の口部に取り付けられてディスペンスヘッドを装着するアダプター本体と、液流通路と圧送ガス流通路を有する流体案内部材とを具備し、  上記流体案内部材は、上記液流通路を構成する筒状基部と、この筒状基部の上端に形成される外向きフランジ部とを具備し、外向きフランジ部は、上記アダプター本体の内周径より小径であって、上記圧送ガス流通路を有し、かつ上記内向きフランジ部に対して着脱可能に形成されると共に、この外向きフランジ部の外周下面に、上記内向きフランジ部の内周縁部に密着する第２のシール部材を装着してなることを特徴とする。
【０００７】
このように構成することにより、ディスペンサーを洗浄するときには、洗浄用容器に取り付けられたアダプター本体に、流体案内用部材を装着すると共に、ディスペンスヘッドを装着した状態で、圧送ガスを洗浄用容器内に供給することで、洗浄用容器内の洗浄液をディスペンサー側へ流して洗浄を行うことができる。また、洗浄用容器内を確認（点検）する場合には、アダプター本体から流体案内部材を取り外して、洗浄用容器内を確認（点検）することができる。また、流体案内部材を取り外した状態で、洗浄用容器を逆さにして容器内に残留する洗浄液を排出することができる。
【０００８】
また、アダプター本体の内周径より小径である外向きフランジ部の外周下面に、内向きフランジ部の外周縁部に密接する第２のリング状シール部材を装着するので、アダプター本体に対する流体案内部材の取り付け、取り外しを容易にすることができると共に、両者間の気水密性を維持することができる。
【０００９】
請求項２記載の発明は、請求項１記載のディスペンサー洗浄用アダプターにおいて、  上記アダプター本体の内向きフランジ部の外周縁部に、上方に向かって拡径するテーパ面を形成し、  上記流体案内部材の外向きフランジ部の外周下面及び外周側面に、下方に向かって縮径するテーパ面を形成すると共に、このテーパ面部に周溝を形成し、かつ、この周溝に第２のシール部材を嵌合装着してなることを特徴とする。
【００１０】
このように構成することにより、アダプター本体の内向きフランジ部と流体案内部材の外向きフランジ部の外周下面及び外周側面にテーパ面を形成することにより、流体案内部材をアダプター本体に装着し易くすると共に、アダプター本体と流体案内部材の気水密性を更に向上することができる。
【００１１】
請求項３記載の発明は、請求項２記載のディスペンサー洗浄用アダプターにおいて、  上記流体案内部材の外向きフランジ部の下面の対向する両側部に、第２のシール部材の抜け止め用突片を突設してなることを特徴とする。
【００１２】
このように構成することにより、抜け止め用突片によって第２のシール部材が押さえられるので、第２のシール部材が不用意に脱落するのを防止することができる。また、抜け止め用突片のない部分から、シール部材の取り外しを容易にすることができる。
【００１３】
【発明の実施の形態】
以下に、この発明のディスペンサー洗浄用アダプターの実施形態について、添付図面に基づいて詳細に説明する。
【００１４】
◎第一実施形態
図１は、この発明のディスペンサー洗浄用アダプターの使用状態を示す概略構成図、図２は、ディスペンサー洗浄用アダプターの装着状態を示す半部断面図、図３は、ディスペンサー洗浄用アダプターの平面図（ａ）、半部断面図（ｂ）及び（ｂ）のＩ−Ｉ線に沿う要部断面図（ｃ）、図４は、ディスペンサー洗浄用アダプターの分解斜視図である。
【００１５】
上記ディスペンサー洗浄用アダプターＰ（以下にアダプターＰという）は、図１及び図２に示すように、ディスペンサー洗浄用容器２（以下に洗浄用容器２という）の口部２０に取り付けられて、ディスペンスヘッド１を装着するアダプター本体３と、洗浄用容器２内の洗浄液例えば水を排出する液流通路４０と、洗浄用容器２内へ圧送ガス例えば炭酸ガスを流入する圧送ガス流通路４１とを有する流体案内部材４とで主に構成されている。この場合、流体案内部材４はアダプター本体３に対して着脱可能に装着されている。
【００１６】
上記アダプター本体３は、例えばプラスチィック製部材にて形成されている。このアダプター本体３は、図２、図３及び図４に示すように、略円筒状に形成されており、下端開口部３０ａの内周面に洗浄用容器２の口部２０に設けられた雄ねじ部２１にねじ結合する雌ねじ部３１が形成されている。
【００１７】
また、アダプター本体３の中間部には、先端から下方へ垂下する垂下片３２ａを有する内向きフランジ部３２が形成されている。この場合、内向きフランジ部３２と垂下片３２ａ及び側壁３２ｂによって凹溝３３が形成され、この凹溝３３に洗浄用容器２の口部２０上面に密接し得る第１のシール部材である第１のOリング５が装着されている。
【００１８】
また、アダプター本体３の上端開口部３０ｂには、ディスペンスヘッド１の取付鍔部１０が着脱可能に係合する凹状の装着部３４が形成されている。この場合、装着部３４には、ディスペンスヘッド１の取付鍔部１０を締結すべく対向する２箇所に内方に向かって突出する係合突起３５が突設されている。なお、係合突起３５の下面３５ａの角部には、テーパ面３５ｂが形成されている（図３（ｃ）参照）。なお、この場合、取付鍔部１０は、少なくとも係合突起３５より大きな切欠（図示せず）が形成されている。
【００１９】
このように形成される装着部３４の係合突起３５にディスペンスヘッド１の取付鍔部１０に設けられた図示しない切欠を合致させて、取付鍔部１０を装着部３４内に挿入して、そして、水平方向に回転させることで、取付鍔部１０が係合突起３５のテーパ面３５ｂに案内されて係合突起３５の下面に係合する。これによって、ディスペンスヘッド１がアダプター本体３に装着される。なお、アダプター本体３を取り外す場合は、上記操作と逆の操作によって取付鍔部１０の切欠を係合突起３５に合致させて取り外すことができる。
【００２０】
また、上記装着部３４の下部には、装着部３４内周より縮径し内向きフランジ部３２まで延在する段付き部３６が形成されている。この段付き部３６の周壁３６ａの適宜位置（この場合４箇所）には、この段付き部３６の段部頂面３６ｂから下部に向かって洗浄用容器２のガス抜きを行う切欠溝３６ｃが穿設されており、また、この切欠溝３６ｃから排出される炭酸ガスを外部に排出するために、アダプター本体３の上端開口部３０ｂの縁部上面の対向する例えば２箇所に、炭酸ガス排出用の排出溝３７が穿設されている（図３参照）。
【００２１】
なお、アダプター本体３の外側部には、上部から垂下されるリブ片３８が適宜位置（この場合４箇所）に突設されており、このリブ片３８をもってアダプター本体３を回転させることにより、洗浄用容器２の口部２０に容易に取り付けることができるようになっている。また、アダプター本体３の外側部の下部付近の例えば一箇所に、外側部から内側部へ貫通しねじ部を設けるねじ孔３９が穿設されており、このねじ孔３９に止めねじ３９ａを螺合することによって、アダプター本体３と洗浄用容器２の取付けを強固にすることができるようになっている。
【００２２】
上記流体案内部材４は、アダプター本体３と同様に、例えばプラスチック製部材にて形成されている。この流体案内部材４は、図３及び図４に示すように、液流通路４０を構成する筒状基部４２と、この筒状基部４２の上端に形成される外向きフランジ部４３とで形成されている。この場合、外向きフランジ部４３は、上記アダプター本体３の内周径より小径に形成され、液流通路４０の外周の同心円上に適宜間隔をおいて複数（図面では４個の場合を示す）の円弧溝状の圧送ガス流通路４１が穿設されている。また、筒状基部４２の下端には、筒状基部４２より小径のパイプ取付部４４が形成されており、このパイプ取付部４４に、洗浄用容器２内に挿入されるサイホンチューブ４５が取り付けられている（図１〜図３参照）。
【００２３】
また、上記外向きフランジ部４３の外周下面４３ａには、アダプター本体３に形成される内向きフランジ部３２の外周縁部３２ｃに密接する第２のシール部材である第２のOリング６が装着されている。この場合、第２のOリング６は、外向きフランジ部４３の外周側面４３ｂに形成された周溝４３ｃに、嵌合装着されている。
【００２４】
上記のように構成されるアダプターＰを使用する場合は、まず、洗浄用容器２の口部２０にアダプター本体３に形成される内向きフランジ部３２を第１のOリング５を介在して装着する。通常は、予め洗浄用容器２の口部２０にアダプター本体３を装着しておく。この装着されたアダプター本体３の上端開口部３０ｂから流体案内部材４を挿入して、アダプター本体３の内向きフランジ部３２の外周縁部上面に、流体案内部材４の外向きフランジ部４３に装着された第２のOリング６を密接して装着する。そして、ディスペンスヘッド１の取付鍔部１０の切欠（図示せず）をアダプター本体３の係合突起３５に合致させて装着部３４内に挿入した後、ディスペンスヘッド１を回転して取付鍔部１０を係合突起３５とを係合させる。これにより、ディスペンスヘッド１の取付鍔部１０が流体案内部材４の外向きフランジ部４３を押圧した状態に締結されるので、第２のOリング６がアダプター本体３の内向きフランジ部３２の外周縁部に密着される。したがって、アダプターＰの気水密性が維持される。
【００２５】
ディスペンサー７を洗浄するには、図１に示すように、ディスペンスヘッド１にガスホース８０及び減圧弁８１を介して圧送ガス供給源である炭酸ガスボンベ８を接続する一方、ディスペンスヘッド１の上部に形成された排出口１１にビールホース７０を介してディスペンサー７を接続する。このように接続されたディスペンスヘッド１は、バルブ（図示せず）の操作レバー１２が設けられており、操作レバー１２をもってバルブを開放することによって、炭酸ガスボンベ８から供給される炭酸ガス流通路４１を介して洗浄用容器２内に充填された洗浄液すなわち水を加圧し、この水をサイホンチューブ４５を介して液流通路４０を通り、ビールホース７０を介してディスペンサー７に入り、タップ７１から排出して洗浄作業を行うことができる。
【００２６】
このように構成されるアダプターＰによれば、アダプター本体３と流体案内部材４が着脱可能に形成されているので、ディスペンスヘッド１を取り外した後に、アダプター本体３に装着された流体案内部材４を取り外すことができる。したがって、流体案内部材４を取り外した状態で、洗浄用容器２内を確認（点検）することができるので、洗浄用容器２内の水の量を確認して確認状況を知ることができる。また、洗浄作業が終了した後、洗浄用容器２を逆さにして、洗浄用容器２内に残った水を排出することができる。
【００２７】
◎第二実施形態
図５は、この発明のディスペンサー洗浄用アダプターＰの第二実施形態を示す半部断面図（ａ）、（ａ）のＡ部拡大図（ｂ）及び（ａ）のＩＩ−ＩＩ線に沿う断面図（ｃ）である。
【００２８】
第二実施形態は、アダプター本体３と流体案内部材４との気水密性を更に向上させるようにした場合である。すなわち、アダプター本体３の内向きフランジ部３２の外周縁部３２ｃに、上方に拡径するテーパ面３２ｄを形成し、流体案内部材４の外向きフランジ部４３の外周下面４３ａ及び外周側面４３ｂに、下方に向かって縮径するテーパ面４３ｄを形成すると共に、このテーパ面４３ｄ部に周溝４３ｃを形成し、かつ、この周溝４３ｃに第２のOリング６を嵌合装着した場合である。
【００２９】
なお、第二実施形態において、その他の部分は上記第一実施形態と同じであるので、同一部分には同一符号を付して説明は省略する。
【００３０】
このように、アダプター本体３の内向きフランジ部３２の外周縁部３２ｃに、上方に拡径するテーパ面３２ｄを形成する一方、流体案内部材４の外向きフランジ部４３の外周下面４３ａ及び外周側面４３ｂに、下方に向かって縮径するテーパ面４３ｄを形成することにより、アダプター本体３に対する流体案内部材４の装着及び取外しをスムーズに行うことができる。また、第２のOリング６がアダプター本体３の内向きフランジ部３２に設けられたテーパ面３２ｄに密接するので、接触面積が増大し、気水密性を向上させることができる。
【００３１】
◎第三実施形態
図６は、この発明のディスペンサー洗浄用アダプターＰの第三実施形態を示す拡大断面図である。
【００３２】
第三実施形態は、第２のOリング６が流体案内部材４から不用意に脱落するのを防止し、また、第２のOリング６が摩耗等によって交換する場合には、流体案内部材４から取り外せるようにした場合である。すなわち、アダプター本体３の内向きフランジ部３２の外周縁部３２ｃに、上方に拡径するテーパ面３２ｄを形成し、流体案内部材４の外向きフランジ部４３の外周下面４３ａ及び外周側面４３ｂに、下方に向かって縮径するテーパ面４３ｄを形成すると共に、このテーパ面４３ｄ部に周溝４３ｃを形成し、かつ、この周溝４３ｃに第２のOリング６を嵌合装着し、更に、外向きフランジ部４３の下面の対向する両側部に、第２のOリング６の抜け止め用突片４３ｅを突設した場合である。
【００３３】
なお、第三実施形態において、その他の部分は上記第一及び第二実施形態と同じであるので、同一部分には同一符号を付して説明は省略する。
【００３４】
このように、外向きフランジ部４３の下面の対向する両側部に、第２のOリング６の抜け止め用突片４３ｅを突設することにより、第２のOリング６が抜け止め用突片４３ｅで固定されるので、流体案内部材４から不用意に脱落するのを防止することができる。また、第２のOリング６が摩耗等によって劣化した場合、両抜け止め用突片４３ｅ以外に露出した部分を摘んで第２のOリング６を流体案内部材４の周溝４３ｃから取り外すことができる。なお、新しい第２のOリング６を取り付ける場合は、まず、新しい第２のOリング６の両端を、両抜け止め用突片４３ｅに係合させた後、残りの部分を周溝４３ｃ内に嵌合させればよい。
【００３５】
【発明の効果】
以上に詳述したように、この発明のディスペンサー洗浄用アダプターは、上記のように構成されているので、以下のような優れた効果が得られる。
【００３６】
（１）請求項１記載の発明によれば、ディスペンサーを洗浄するときには、洗浄用容器に取り付けられたアダプター本体に、流体案内用部材を装着すると共に、ディスペンスヘッドを装着した状態で、圧送ガスを洗浄用容器内に供給し、洗浄用容器内の洗浄液をディスペンサー側へ流して洗浄を行うことができるので、ディスペンサーの洗浄を容易に行うことができる。また、容器に取り付けられたアダプター本体から流体案内部材を取り外すことができるので、ディスペンサー洗浄用容器内の確認（点検）を容易に行うことができる。これにより、洗浄用容器内の洗浄液の状況を知ることができるので洗浄作業を容易にすることができる。また、流体案内部材を取り外した状態で、洗浄用容器を逆さにして洗浄用容器内に残留する洗浄液を排出することができるので、残留した洗浄水の排水作業が容易に行うことができる。
【００３７】
（２）また、アダプター本体の内周径より小径である外向きフランジ部の外周下面に、内向きフランジ部の外周縁部に密接する第２のシール部材を装着することによって、アダプター本体に対する流体案内部材の着脱を容易にすると共に、両者間の気水密性を維持することができる。
【００３８】
（３）請求項２記載の発明によれば、アダプター本体の内向きフランジ部の外周縁部と流体案内部材の外向きフランジ部の外周下面及び外周側面にテーパ面を形成することにより、上記（１）、（２）に加えて、更に流体案内部材をアダプター本体に装着し易くすると共に、更にアダプター本体と流体案内部材の気水密性を向上することができる。
【００３９】
（４）請求項３記載の発明によれば、流体案内部材の外向きフランジ部の下面の対向する両側部に突設された抜け止め用突片によって第２のシール部材が係止されるので、上記（３）に加えて、第２のシール部材が不用意に脱落するのを防止することができる。また、抜け止め用突片のない部分から、シール部材の取り外しを容易にすることができる。
【図面の簡単な説明】
【図１】  この発明のディスペンサー洗浄用アダプターの使用状態を示す概略構成図である。
【図２】  この発明のディスペンサー洗浄用アダプターの装着状態を示す半部断面図である。
【図３】  この発明のディスペンサー洗浄用アダプターの平面図（ａ）、半部断面図（ｂ）及び（ｂ）のＩ−Ｉ線に沿う要部断面図（ｃ）である。
【図４】  この発明のディスペンサー洗浄用アダプターの分解斜視図である。
【図５】  この発明のディスペンサー洗浄用アダプターの第二実施形態を示す半部断面図（ａ）、（ａ）のＡ部拡大図（ｂ）及び（ａ）のＩＩ−ＩＩ線に沿う断面図（ｃ）である。
【図６】  この発明のディスペンサー洗浄用アダプターの第三実施形態を示す半部断面図である。
【符号の説明】
Ｐ  ディスペンサー洗浄用アダプター
１  ディスペンスヘッド
２  ディスペンサー洗浄用容器
３  アダプター本体
４  流体案内部材
５  第１のOリング（第１のシール部材）
６  第２のOリング（第２のシール部材）
２０  口部
３２  内向きフランジ部
３５  係合突起
３５ｂ  テーパ面
４０  液流通路
４１  炭酸ガス通路（圧送ガス通路）
４２  筒状基部
４３  外向きフランジ部
４３ｄ  テーパ面
４３ｅ  抜け止め用突片
【図１】
0003829245.tif 000002
【図２】
0003829245.tif 000003
【図３】
0003829245.tif 000004
【図４】
0003829245.tif 000005
【図５】
0003829245.tif 000006
【図６】
0003829245.tif 000007